(57)【要約】【課題】携帯型通信機器の表示デバイスへの情報の表示にかかる消費電力を低減する。【解決手段】現在時刻を計時するＲＴＣ８ａを表示コントローラ８に内蔵する。表示コントローラ８は、ＲＴＣ８ａにより計時された時刻情報を取得して、予めフォントメモリ８ｃに記憶されたフォントから、現在時刻に対応した数字および記号のフォントを読み出して、これが液晶表示部９に表示されるように制御する。【選択図】      図１
2005277463.tif 000002
【特許請求の範囲】
【請求項１】
時刻を表示するための表示デバイスと、
この表示デバイスへの画面表示を制御する表示制御手段を具備し、
前記表示制御手段は、
時刻を計時する計時手段と、
この計時手段により計時した時刻の表示用データを記録する表示データ記録手段と、
この表示データ記録手段に記録した表示用データの前記表示デバイスへの画面表示を制御する制御手段と
を有することを特徴とする携帯型通信機器。
【請求項２】
時刻を表示するための表示デバイスと、
この表示デバイスへの画面表示を制御する表示制御手段を具備し、
前記表示制御手段は、
外部からクロック信号を入力する信号入力手段と、
この信号入力手段により入力したクロック信号をもとに時刻を計時する計時手段と、
この計時手段により計時した時刻の表示用データを記録する表示データ記録手段と、
この表示データ記録手段に記録した表示用データの前記表示デバイスへの画面表示を制御する制御手段と
を有することを特徴とする携帯型通信機器。
【請求項３】
前記表示制御手段は、
時刻表示に用いる文字フォントを記録するフォント記録手段を有し、
前記表示データ記録手段は、
前記フォント記録手段に記録した文字フォントのうち、前記計時手段により計時した時刻に応じた文字フォントを前記時刻の表示用データとして記録する
ことを特徴とする請求項１または２に記載の携帯型通信機器。
【請求項４】
前記フォント記録手段は、複数種類の文字フォントを記録し、
前記フォント記録手段に記録した複数種類の文字フォントのうち、前記時刻の表示用データとして用いる文字フォントの種類の選択操作を受け付ける手段をさらに備えた
ことを特徴とする請求項３に記載の携帯型通信機器。
【請求項５】
前記表示制御手段は、
複数の常時表示用パターンデータを記録するパターンデータ記録手段と、
外部からのコントロール信号を入力する入力手段と
を有し、
前記制御手段は、
前記入力手段により入力されたコントロール信号に応じた常時表示用パターンデータの前記表示デバイスへの画面表示を制御する
ことを特徴とする請求項１または２に記載の携帯型通信機器。
【請求項６】
表示デバイスと、
この表示デバイスへの画面表示を制御する第１および第２の表示制御手段とを具備し、
前記第１の表示制御手段は、
前記表示デバイスへの表示用データを記録する表示データ記録手段と、
この表示データ記録手段に記録された表示用データをもとに、前記表示デバイスへの画面表示を制御する制御手段と
を有し、
前記第２の表示制御手段は、
前記表示デバイスへの常時表示用のデータを記録する常時表示用記録手段と、
この常時表示用記録手段に記録された常時表示用データをもとに、前記表示デバイスの一部分への画面表示を制御する制御手段と
を有する
ことを特徴とする携帯型通信機器。
【請求項７】
前記第２の表示制御手段は、
時刻を計時する計時手段を有し、
前記常時表示用記録手段は、前記計時手段により計時した時刻の表示用データを記録する
ことを特徴とする請求項６に記載の携帯型通信機器。
【請求項８】
前記第２の表示制御手段は、
外部からクロック信号を入力する信号入力手段と、
この信号入力手段により入力されたクロック信号をもとに時刻を計時する計時手段と
を有し、
前記常時表示用記録手段は、前記計時手段により計時した時刻の表示用データを記録する
ことを特徴とする請求項６に記載の携帯型通信機器。
【発明の詳細な説明】
【技術分野】
【０００１】
本発明は、例えば携帯電話機などの携帯型通信機器に関する。
【背景技術】
【０００２】
従来、例えば携帯電話機などの、電池からの電源供給により駆動する通信機器では、消費電力を低減して電池寿命の長時間化を図るために、例えば特許文献１に開示されたように、待ち受け時、つまり所定時間が経過しても着信またはキー入力がない場合に一部のデバイスへの電力供給を停止するなどの手法が考えられている。
【０００３】
ＬＣＤなどに代表される表示デバイスへの文字や画像等の表示にかかる制御はＣＰＵと表示デバイスの間に設けられる表示コントローラが行なう。表示コントローラは表示デバイスへの表示用データを展開するためのＶＲＡＭを備えており、表示コントローラは表示デバイスに表示させる文字や画像等の更新指示がＣＰＵからなされた場合に、ＶＲＡＭに展開される表示用データを書き換える。
【０００４】
ＣＰＵと接続されるＲＴＣ（Ｒｅａｌ  Ｔｉｍｅ  Ｃｌｏｃｋ）は現在時刻を計時しており、ＣＰＵはＲＴＣが計時する現在時刻の情報を取得し、この取得した時刻情報をもとに、表示デバイスで表示される現在時刻が更新されるように表示コントローラを制御する。表示コントローラはＣＰＵからの制御にしたがい、ＶＲＡＭに展開された現在時刻の表示用データを更新する。
【０００５】
またＣＰＵは、無線アンテナが基地局から受信する電波の強度である電界強度を常に検出しており、この検出した電界強度が変化する度に当該電界強度に対応したパターン画像が液晶表示部に表示されるように表示コントローラを制御する。
【０００６】
また、ＣＰＵは電池の残量を常に検出しており、この検出した電池残量が変化する度に、当該電池残量に対応したパターン画像が液晶表示部に表示されるように表示コントローラを制御する。
【特許文献１】特開平１０−３０４０３１号公報
【発明の開示】
【発明が解決しようとする課題】
【０００７】
このように、更新を逐次行なう必要がある情報の表示を制御するために、ＣＰＵから表示コントローラに対するアクセスを頻繁に行なっていたので、機器の消費電力が多大となっていた。
【０００８】
そこで、本発明の目的は、表示デバイスへの情報の表示にかかる消費電力を低減することが可能になる携帯型通信機器を提供することにある。
【課題を解決するための手段】
【０００９】
すなわち、本発明に係わる携帯型通信機器は、時刻を表示するための表示デバイスと、この表示デバイスへの画面表示を制御する表示制御手段を具備し、前記表示制御手段は、時刻を計時する計時手段と、この計時手段により計時した時刻の表示用データを記録する表示データ記録手段と、この表示データ記録手段に記録した表示用データの前記表示デバイスへの画面表示を制御する制御手段とを有することを特徴とする。
【発明の効果】
【００１０】
本発明に係わる携帯型通信機器では、表示制御手段が計時手段を有しており、この計時手段により計時した時刻の表示用データを表示データ記録手段に記録することにより、時刻表示にかかる、ＣＰＵから表示制御手段へのアクセスが不要となるので、機器の消費電力を低減させることができる。
【発明を実施するための最良の形態】
【００１１】
以下図面により本発明の実施形態について説明する。  
（第１の実施形態）
まず、本発明の第１の実施形態について説明する。  
図１は、本発明の第１の実施形態にしたがった携帯電話機の構成例を示すブロック図である。  
この携帯電話機では、ＣＰＵ（制御部）１に、入力部２、電源制御部３、ＲＯＭ４、ＲＡＭ５が接続される。また、ＣＰＵ１には、無線部６を介して送受信共用のアンテナ７が接続され、表示コントローラ（表示制御部）８を介して液晶表示部９が接続される。
【００１２】
無線部６には、音声変換部１０を介してスピーカ１１およびマイクロホン（マイク）１２が接続される。
【００１３】
ＣＰＵ１は、入力データを処理加工して出力すると共に、各部に制御信号を送ってそれらの動作を制御する。電源制御部３はＣＰＵ１からの電源制御信号に応じて電池１３からの電圧を各部に供給する。電池１３は、内蔵または着脱式の充電電池である。
【００１４】
アンテナ７を有する無線部６は、ＣＰＵ１からの制御に従って次の各種動作を行なう。すなわち無線部６は、アンテナ７を介して入力した受信電気信号に検波等の処理を加えてディジタル音声電気信号に変換し、これを音声変換部１０に出力すると共に、この音声変換部１０からの送信用のディジタル音声電気信号を読み込み、この音声信号で特定の搬送周波数信号を変調し、得られた変調波をアンテナ７より電波として送出する。
【００１５】
音声変換部１０は、通常の通話を行なう通話モードでは、無線部６から送られてきたディジタル音声信号をアナログ音声信号に変換し、このアナログ音声信号をスピーカ１１に出力すると共に、マイク１２から入力された送信用のアナログ音声信号をディジタル音声電気信号に変換し、これを無線部６に送出する。
【００１６】
マイク１２は、送話に係る音声を受けてこれをディジタル音声電気信号に変換して音声変換部１０に出力する。スピーカ１１は、音声変換部１０から出力されるディジタル音声電気信号を音声に変換する。
【００１７】
入力部２は、複数のキーや押しボタンスイッチ等が配置され、いずれかの操作入力がなされた場合には、対応する制御信号をＣＰＵ１に出力する。ＲＯＭ４は、機器の各種動作に係るプログラムが固定的に記録され、ＣＰＵ１の制御の下に、この記録された当該プログラム等が順次ＣＰＵ１に出力される。
【００１８】
ＲＡＭ５は、ＣＰＵ１の制御にしたがって、当該ＣＰＵ１から、またはＣＰＵ１を介して送られてくるデータを入力してこれを記録すると共に、記録しているデータをＣＰＵ１に出力する。
【００１９】
表示コントローラ８は、入力部２からの入力操作に応じて、文字や画像データなどを液晶表示部９に表示させる制御を行なう。また、表示コントローラ８は、ＣＰＵ１からの制御により、着呼や受信メッセージ、電波の受信状態、電池残量等を液晶表示部９に表示させる制御を行なう。液晶表示部９は、表示コントローラ８の制御にしたがって、文字や画像データなどを表示する。
【００２０】
また、表示コントローラ８は、現在の時刻を計時するＲＴＣ（Ｒｅａｌ  Ｔｉｍｅ  Ｃｌｏｃｋ）８ａ、ＶＲＡＭ８ｂ、フォントメモリ８ｃおよびパターン画像メモリ８ｄを備える。ＶＲＡＭ８ｂは、液晶表示部９に表示させる表示用データを記憶する。
【００２１】
フォントメモリ８ｃは、時刻表示に用いる数字（０〜９）および記号（：）のフォントを記憶する。この時刻フォントの一例を図２に示す。図３に示すように、フォントメモリ８ｃには複数種類の時刻フォントが記憶される。例えば時刻フォントａは明朝体による数字（０〜９）および記号（：）であり、時刻フォントｂはゴシック体による数字（０〜９）および記号（：）である。これら複数種類の時刻フォントのうち、表示に用いる時刻フォントの種類は、入力部２からの選択操作にしたがって決定される。また、フォントメモリ８ｃに記憶する時刻フォントは、入力部２からの入力操作により任意に加工または新たに作成することが可能である。
【００２２】
この時刻フォントのうち、現在時刻に対応するフォントの数字および記号が時刻表示用のデータとしてＶＲＡＭ８ｂに記憶される。図４は、現在の時刻が“００時００分”である場合にＶＲＡＭ８ｂに記憶される時刻フォントの配列を示した図である。
【００２３】
表示コントローラ８のパターン画像メモリ８ｄは、アンテナ７により受信した電波の強度（電界強度）の各レベル（ここでは４段階のレベル）にそれぞれ対応したパターン画像データ、および電池１３の残り容量（電池残量）の各レベル（ここでは４段階のレベル）にそれぞれ対応したパターン画像データを記憶する。
【００２４】
電界強度の各レベルにそれぞれ対応するパターン画像（電界強度パターン画像）の一例を図５に、電池残量の各レベルにそれぞれ対応するパターン画像（電池残量パターン画像）の一例を図６に示す。図５に示した“Ａ−０”のパターン画像は電界強度のレベルが最高である場合に液晶表示部９に表示させる画像であり、“Ａ−３”のパターン画像は電界強度のレベルが最低である場合に表示させる画像である。
【００２５】
また、図６に示した“Ｂ−０”のパターン画像は電池残量のレベルが最高である場合に液晶表示部９に表示させる画像であり、“Ｂ−３”のパターン画像は電池残量のレベルが最低である場合に表示させる画像である。
【００２６】
図７に示すように、パターン画像メモリ８ｄには、図５に示したような、電界強度を表すパターン画像データが、電界強度パターンａ，ｂ，…の複数種類記憶される。電界強度パターンａは、図５に示した“Ａ−０”〜“Ａ−３”の電界強度パターン画像に対応し、例えば、電界強度パターンａと電界強度パターンｂでは、同じ電界強度を表すパターン画像であっても、そのアンテナの形状が異なる。
【００２７】
図８に示すように、パターン画像メモリ８ｄには、図６に示したような、電池残量を表すパターン画像データが、電池残量パターンａ，ｂ，…の複数種類記憶される。電池残量パターンａは、図６に示した“Ｂ−０”〜“Ｂ−３”の電池残量パターン画像に対応し、例えば、電池残量パターンａと電池残量パターンｂでは、同じ電池残量を表すパターン画像であっても、その電池の形状が異なる。
【００２８】
電界強度パターンａ，ｂ，…のうち表示に用いる電界強度パターン画像の種類、および、電池残量パターンａ，ｂ，…のうち表示に用いる電池残量パターン画像の種類は、入力部２からの選択操作にしたがって決定される。また、パターン画像メモリ８ｄに記憶する電界強度パターン画像および電池残量パターン画像は、入力部２からの入力操作により任意に加工または新たに作成することが可能である。
【００２９】
パターン画像メモリ８ｄに記憶されるパターン画像のうち、現在の電界強度のレベルに対応したパターン画像はパターン画像（Ａ）として、現在の電池残量のレベルに対応したパターン画像はパターン画像（Ｂ）としてＶＲＡＭ８ｂに記憶される。図９は、ＶＲＡＭ８ｂに記憶される電界強度パターン画像および電池残量パターン画像の一例を示す図である。
【００３０】
ＣＰＵ１は、電界強度のレベルが前述した４段階のレベルの何れに該当するかを常時検出しており、この検出した電界強度のレベルに対応した電界強度パターン画像を表示コントローラ８のパターン画像メモリ８ｄから読み出させる制御信号であるコントロールビットＡを表示コントローラ８に出力する。このコントロールビットＡは２ビットでなり、通常用の制御線２１とは別に設けられた制御線２２を介して出力される。図１０は、ＣＰＵ１からのコントロールビットＡのビット列と、ＶＲＡＭ８ｂに記憶する電界強度パターン画像名との関係を表にして示した図である。
【００３１】
また、ＣＰＵ１は、電池残量のレベルが前述した４段階のレベルの何れに該当するかを常時検出しており、この検出した電池残量のレベルに対応した電界強度パターン画像を表示コントローラ８のパターン画像メモリ８ｄから読み出させる制御信号であるコントロールビットＢを表示コントローラに８に出力する。このコントロールビットＢは２ビットでなり、通常用の制御線２１およびコントロールビットＡ用の制御線２２とは別に設けられた制御線２３を介して出力される。図１１は、ＣＰＵ１からのコントロールビットＢのビット列と、ＶＲＡＭ８ｂに記憶する電池残量パターン画像名との関係を表にして示した図である。
【００３２】
次に、図１に示した携帯電話機による、現在時刻、電界強度および電池残量の表示制御処理について説明する。この表示制御処理は、現在時刻、電界強度および電池残量が変化するたびに、現在時刻に対応する時刻フォント、現在の電界強度のレベルに対応するパターン画像、および電池残量のレベルに対応するパターン画像を液晶表示部９にそれぞれ表示させる処理である。
【００３３】
表示コントローラ８は、ＲＴＣ８ａにより計時される時刻情報を取得し、この取得した時刻情報に対応する数字（０〜９）および記号（：）のフォントをフォントメモリ８ｃから読み出し、この読み出したフォントをＶＲＡＭ８ｂに書込む。
【００３４】
無線部６は、アンテナ７が受信した電波の強度（電界強度）の情報をＣＰＵ１に逐次出力しており、ＣＰＵ１は、この情報で示される電界強度のレベルに応じたコントロールビットＡを、制御線２２を介して表示コントローラ８に出力する。例えば、電界強度のレベルが最大である場合には、このレベルに対応した“Ａ−０”のパターン画像を、表示コントローラ８のパターン画像メモリ８ｄから読み出させるために、コントロールビットＡを“００”とする。
【００３５】
表示コントローラ８は、ＣＰＵ１からのコントロールビットＡを入力し、このコントロールビットＡで示されるビット列に応じて、液晶表示部９へ表示させる電界強度パターン画像をパターン画像メモリ８ｄから読み出し、これをＶＲＡＭ８ｂに書込む。
【００３６】
また、ＣＰＵ１は、電池１３の電圧の情報を電源制御部３を介して入力することで、電池残量のレベルを常時検出しており、この検出した電池残量のレベルに応じたコントロールビットＢを、制御線２３を介して表示コントローラ８に出力する。例えば、電池残量のレベルが最大である場合には、このレベルに対応した“Ｂ−０”のパターン画像を、表示コントローラ８のパターン画像メモリ８ｄから読み出させるために、コントロールビットＢを“００”とする。
【００３７】
表示コントローラ８は、ＣＰＵ１からのコントロールビットＢを入力し、このコントロールビットＢで示されるビット列に応じて、液晶表示部９へ表示させる電池残量パターン画像をパターン画像メモリ８ｄから読み出し、これをＶＲＡＭ８ｂに書込む。
【００３８】
以上のように、本発明の第１の実施形態にしたがった携帯電話機では、現在時刻の計時回路（ＲＴＣ）を表示コントローラ８に内蔵し、表示コントローラ８は、ＲＴＣにより計時された時刻情報を取得して、予め内部に記憶されたフォントから、現在時刻に対応したフォントを読み出して、これが液晶表示部９に表示されるように制御するので、ＣＰＵ１は、時刻表示の更新のための制御信号を表示コントローラ８に出力するする必要がなくなる。よって、機器の消費電力を低減させることができる。
【００３９】
また、電界強度および電池残量の各レベルに応じたパターン画像を表示コントローラ８に設けたメモリに記憶したので、電界強度および電池残量の情報を液晶表示部９に表示させる際に、ＣＰＵ１は、検出した電界強度および電池残量のレベルに応じたコントロールビットを表示コントローラ８に出力するだけでよいので、ＣＰＵ１の負荷が軽減される。よって、時刻表示の際と同様に機器の消費電力を低減させることができる。
【００４０】
（第２の実施形態）
次に、本発明の第２の実施形態にしたがった携帯電話機の構成について図１２を参照して説明する。なお、この第２の実施形態に係る携帯電話機の構成は、図１に示したものと基本的にほぼ同様であるので、同一部分の説明は省略する。
【００４１】
図１２に示した構成の携帯電話機の表示コントローラ３２は、図１に示した表示コントローラ８で設けたＲＴＣ８ａの代わりにカウンタ３２ａを設ける。また、ＲＴＣ３１がＣＰＵ１および表示コントローラ３２と接続される。ＲＴＣ３１は、ＣＰＵ１に対しては時刻信号を出力し、表示コントローラ３２に対しては１［Ｈｚ］のクロック信号を出力する。また、ＶＲＡＭ３２ｂ、フォントメモリ３２ｃおよびパターン画像メモリ３２ｄは、図１に示したＶＲＡＭ８ｂ、フォントメモリ８ｃおよびパターン画像メモリ８ｄとそれぞれ同じである。
【００４２】
カウンタ３２ａは、“ｘｘ”，“ｙｙ”および“ｚｚ”の各値をカウントしており、“ｘｘ”の値は現在時刻の“時”の値に、“ｙｙ”の値は現在時刻の“分”の値に、“ｚｚ”の値は現在時刻の“秒”の値にそれぞれ対応する。表示コントローラ３２がＲＴＣ３１からのクロック信号を入力すると、“ｚｚ”の値を１増やして更新する。カウンタ３２ａは、“ｚｚ”の値が“５９”のときにＲＴＣ３１からのクロック信号を入力すると“ｚｚ”の値を“００”とした上で“ｙｙ”の値を１増やして更新する。
【００４３】
また、カウンタ３２ａは、“ｙｙ”および“ｚｚ”の値がともに“５９”のときに、表示コントローラ３２がＲＴＣ３１からのクロック信号を入力すると、“ｙｙ”および“ｚｚ”の値を“００”とした上で“ｘｘ”の値を１増やして更新する。また、カウンタ３２ａでは、“ｘｘ”の値が“２３”のときにこれが前述のように更新されると、“ｘｘ”，“ｙｙ”および“ｚｚ”の全ての値が“００”に設定される。
【００４４】
次に、図１２に示した構成の携帯電話機による現在時刻の表示制御処理について説明する。なお、電界強度および電池残量の変化に応じたパターン画像の表示制御処理は、図１に示した携帯電話機と同様である。
【００４５】
表示コントローラ３２は、ＲＴＣ３１からのクロック信号を入力すると、カウンタ３２ａでカウントされる値を更新し、この更新された値のうち“ｙｙ”の値に対応する時刻フォントをフォントメモリ３２ｃから読み出し、これを現在時刻の“分”の表示用データとしてＶＲＡＭ３２ｂに記憶する。また、表示コントローラ３２は、前述のように更新された値のうち“ｘｘ”の値に対応する時刻フォントをフォントメモリ３２ｃから読み出し、これを現在時刻の“時”の表示用データとしてＶＲＡＭ３２ｂに記憶する。
【００４６】
このような構成とすることで、表示コントローラ３２は、外付けのＲＴＣ３１からのクロック信号を入力するたびにカウンタ３２ａでカウントする値を更新し、このカウントした値にしたがって、現在時刻に対応する数字および記号を液晶表示部９に表示するように制御するので、ＲＴＣ３１を表示コントローラに内蔵しない場合でも、ＣＰＵ１は、時刻表示の更新のための制御信号を表示コントローラに出力するする必要がなくなるので、機器の消費電力を低減させることができる。
【００４７】
（第３の実施形態）
次に、本発明の第３の実施形態にしたがった携帯電話機の構成について図１３を参照して説明する。なお、この第３の実施形態に係る携帯電話機の構成は、図１に示したものと基本的にほぼ同様であるので、同一部分の説明は省略する。
【００４８】
図１３に示した構成の携帯電話機は、図１に示した表示コントローラ８に代えて、現在時刻、電界強度および電池残量を含む各種情報の液晶表示部９への表示を制御する表示コントローラ４１、および機器が待ち受け状態にある場合に現在時刻、電界強度および電池残量の情報のみを液晶表示部９の一部分に表示するように制御する待ち受け用表示コントローラ４２を備える。液晶表示部９の一部分に情報を表示するように制御することで、液晶表示部９の消費電力を低減できる。表示コントローラ４１と待ち受け用表示コントローラ４２は、それぞれがＣＰＵ１と液晶表示部９の間に設けられる。
【００４９】
このような構成の携帯電話機では、ＣＰＵ１は、機器が待ち受け状態となったか、つまり入力部２による操作または送受信を行なわない状態となってから予め定められた時間（例えば１０秒間）が経過したか否かを判別し、この判別の結果、待ち受け状態でないと判別した際には、通常用の制御線５１を介して表示コントローラ４１に起動信号を出力して、待ち受け用表示コントローラ４２に終了信号を出力する。
【００５０】
一方、待ち受け状態であると判別した際には、通常用の制御線６１を介して待ち受け用表示コントローラ４２に起動信号を出力して、表示コントローラ４１に終了信号を出力する。制御線５２，６２は、図１に示した制御線２２と同じであり、制御線５３，６３は、図１に示した制御線２３と同じである。
【００５１】
表示コントローラ４１および待ち受け用表示コントローラ４２は、ＣＰＵ１からの起動信号を入力すると、終了信号を入力するまで前述した表示制御処理を行ない、終了信号を入力すると、起動信号を再び入力するまで表示制御処理を行なわない。
【００５２】
待ち受け用表示コントローラ４２は、ＣＰＵ１からの起動信号にしたがって現在時刻、電界強度および電池残量のみの表示制御を行なうので、表示コントローラ４１と比較してその回路構成を小型化することができる。回路構成を小型化することで機器の消費電力を低減できる。
【００５３】
以上説明したように、機器の待ち受け時には待ち受け用表示コントローラ４２が動作して、現在時刻、電界強度および電池残量のみの表示制御を行なうので、待ち受け時の機器の消費電力を低減させることができる。
【００５４】
また、表示コントローラ４１と待ち受け用表示コントローラ４２は、図１に示した表示コントローラ８と同様に、ＲＴＣ８ａを内蔵した構成としても良いし、図１２に示した表示コントローラ３２と同様に、カウンタ３２ａを内蔵した上でＣＰＵ１との間にＲＴＣ３１を設ける構成としてもよく、このような構成とすることで、機器の消費電力をさらに低減させることができる。
【００５５】
また、待ち受け用表示コントローラ４２は、待ち受け時において現在時刻、電界強度および電池残量の情報を液晶表示部９の一部分に表示させる制御を行なうと説明したが、これに限らず、例えば、現在時刻、電界強度および電池残量の情報のみを表示するためのサブ液晶表示部（図示せず）を液晶表示部９とは別途に設け、待ち受け用表示コントローラ４２を液晶表示部９と接続する代わりにサブ液晶表示部と接続した上で、待ち受け時において待ち受け用表示コントローラ４２がサブ液晶表示部に現在時刻、電界強度および電池残量の情報を表示させる制御を行なうようにしてもよい。
【００５６】
以上説明した実施形態では、本発明を携帯電話機に適用する構成としたが、これに限らず、これに限らず、電池からの電源供給により駆動し、現在時刻および電界強度の情報を表示デバイスに表示する機能を有する携帯型通信機器であれば、例えば、ＰＤＡ（Personal Digital Assistant：個人向け携帯情報端末）等にも本発明を適用することが可能である。
【００５７】
なお、この発明は、前記実施形態そのままに限定されるものではなく、実施段階ではその要旨を逸脱しない範囲で構成要素を変形して具体化できる。また、前記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００５８】
【図１】本発明の第１の実施形態にしたがった携帯電話機の構成例を示すブロック図。
【図２】時刻表示に用いる時刻フォントの一例を示す図。
【図３】図１に示したフォントメモリに記憶される時刻フォントの種類を示す図。
【図４】図１に示したＶＲＡＭに記憶される時刻フォントの配列の一例を示した図。
【図５】電界強度の各レベルにそれぞれ対応したパターン画像の一例を示す図。
【図６】電池残量の各レベルにそれぞれ対応したパターン画像の一例を示す図。
【図７】図１に示したパターン画像メモリに記憶される電界強度パターン画像データの種類を示す図。
【図８】図１に示したパターン画像メモリに記憶される電池残量パターン画像データの種類を示す図。
【図９】図１に示したＶＲＡＭに記憶される電界強度パターン画像および電池残量パターン画像の一例を示す図。
【図１０】図１に示したＣＰＵからのコントロールビットＡのビット列と、表示対象の電界強度パターン画像名との関係を表にして示した図。
【図１１】図１に示したＣＰＵからのコントロールビットＢのビット列と、表示対象の電池残量パターン画像名との関係を表にして示した図。
【図１２】本発明の第２の実施形態にしたがった携帯電話機の構成例を示すブロック図。
【図１３】本発明の第３の実施形態にしたがった携帯電話機の構成例を示すブロック図。
【符号の説明】
【００５９】
１…ＣＰＵ、２…入力部、３…電源制御部、４…ＲＯＭ、５…ＲＡＭ、６…無線部、７…アンテナ、８，３２，４１…表示コントローラ、８ａ，３１…ＲＴＣ（Ｒｅａｌ  Ｔｉｍｅ  Ｃｌｏｃｋ）、８ｂ，３２ｂ…ＶＲＡＭ、８ｃ，３２ｃ…フォントメモリ、８ｄ，３２ｄ…パターン画像メモリ、９…液晶表示部、１０…音声変換部、１１…スピーカ、１２…マイクロホン、１３…電池、２１〜２３，５１〜５３，６１〜６３…制御線、３２ａ…カウンタ、４２…待ち受け用表示コントローラ。
【図１】
2005277463.tif 000003
【図２】
2005277463.tif 000004
【図３】
2005277463.tif 000005
【図４】
2005277463.tif 000006
【図５】
2005277463.tif 000007
【図６】
2005277463.tif 000008
【図７】
2005277463.tif 000009
【図８】
2005277463.tif 000010
【図９】
2005277463.tif 000011
【図１０】
2005277463.tif 000012
【図１１】
2005277463.tif 000013
【図１２】
2005277463.tif 000014
【図１３】
2005277463.tif 000015